(57)【要約】【課題】着実に下顎部を固定して開口を防止すると共に、使用感のよい開口防止具を提供する。【解決手段】  伸縮性素材からなる開口防止具は、使用者の頭部に装着可能であり、開口の縁において対向する位置のそれぞれに穴７が空けられている帽子部２と、各穴７を通して帽子部２からぶら下がり、帽子部２が頭部に装着された際に使用者の下顎部を覆うと共に下顎部と対向する位置で一端と他端とが脱着可能に固定される固定帯３と、を備えることにより、上記課題の解決を図る。【選択図】図１
0003218969.tif 000002
【実用新案登録請求の範囲】
【請求項１】
伸縮性素材からなる開口防止具であって、
使用者の頭部に装着可能であり、開口の縁において対向する位置のそれぞれに穴が空けられている帽子部と、
前記各穴を通して該帽子部からぶら下がり、該帽子部が前記頭部に装着された際に前記使用者の下顎部を覆うと共に該下顎部と対向する位置で一端と他端とが脱着可能に固定される固定帯と、
を備えることを特徴とする開口防止具。
【請求項２】
前記固定帯は、
略凸レンズ形状の伸縮性のあるシート状素材と、
前記シート状素材のそれぞれの曲線部分に沿って縫い付けた２本の細長状の帯と、
２本の帯の末端のそれぞれを互いに束ね、束ねた帯の一端と他端とが脱着可能に固定される面ファスナーと、
を備えることを特徴とする請求項１に記載の開口防止具。
【請求項３】
前記面ファスナーは、
フック状に起毛されたフック状素材と、
ループ状に密集して起毛され前記固定帯の長手方向において前記フック状素材よりも長いループ状素材と、
を備えることを特徴とする請求項１〜３のうちいずれか１項に記載の開口防止具。
【請求項４】
前記伸縮性素材がポリエステルもしくはナイロンからなる素材、または該ポリエステルと該ナイロンとで編みこまれた素材である
ことを特徴とする請求項１〜３のうちいずれか１項に記載の開口防止具。
【考案の詳細な説明】
【技術分野】
【０００１】
本考案は、就寝時の口呼吸を制限する開口防止具に関する。
【背景技術】
【０００２】
睡眠は人間にとって必要不可欠なものであり、その睡眠の質の向上を図ることが近年求められている。良質な睡眠を妨げる要因の１つに、いびきや睡眠時無呼吸症候群（ＳＡＳ）がある。特に睡眠時無呼吸症候群では、眠っている間に何らかの原因で上気道が狭まり、呼吸が止まってしまう場合もあり得る。
【０００３】
いびきの原因としては、口呼吸がある。睡眠中に口で呼吸をしていると、重力で舌が落ちて上気道が狭くなるため、呼吸が止まってしまう場合があり得る。一般的に人間の呼吸は、口で行うよりも鼻で行う方が適している。口呼吸をしていると口の中が乾燥し、歯周病や口臭の原因になる他、細菌やウイルスなども身体に侵入しやすくなる。
【０００４】
このような睡眠時の開口状態を防止するため、全体がほぼ顔面の輪郭に見合うリング状に形成された弾力性を持った帯体で、下顎先端部と係合する第一の係合部と、該第一の係合部と対向して、頭部と係合するキャップ状に広がりを持つ第二の係合部と、前記第一の係合部と第二の係合部とを連結する側帯部とからなる開口防止帯がある（例えば、特許文献１）。
【先行技術文献】
【特許文献】
【０００５】
【特許文献１】特開２００２−４５３８４号公報
【考案の概要】
【考案が解決しようとする課題】
【０００６】
しかしながら、特許文献１の開口防止帯では、側帯部に両端を接続された補助帯を側帯部に直交して配設しているが、補助帯が額に当たって煩わしく、頭部への装着時の使用感がいいとはいえない。また、第一の係合部と第二の係合部と伸縮性に富んだ側帯部側帯部とが一体的にリング状をなし、弾力性を持った帯体を構成しており、側帯部の長さは適宜手段にて可変で、開口上下の動きの抑制の強さの加減は、側帯部の長さを調整することで行っているが、具体的な開示がない。また、帯体は、あらかじめ一連で形成するか、または、適宜長さ調整具や面ファスナー等の連結手段を介して形成してもよい旨の開示もあるが、どのように実現するのか具体的な開示がない。
【０００７】
本考案は、一態様として、着実に下顎部を固定して開口を防止すると共に、使用感のよい開口防止具を提供する。
【課題を解決するための手段】
【０００８】
本考案の一側面に係る伸縮性素材からなる開口防止具は、使用者の頭部に装着可能であり、開口の縁において対向する位置のそれぞれに穴が空けられている帽子部と、前記各穴を通して該帽子部からぶら下がり、該帽子部が前記頭部に装着された際に前記使用者の下顎部を覆うと共に該下顎部と対向する位置で一端と他端とが脱着可能に固定される固定帯と、を備えることを特徴とする。
【０００９】
前記固定帯は、略凸レンズ形状の伸縮性のあるシート状素材と、前記シート状素材のそれぞれの曲線部分に沿って縫い付けた２本の細長状の帯と、２本の帯の末端のそれぞれを互いに束ね、束ねた帯の一端と他端とが脱着可能に固定される面ファスナーと、を備えることを特徴とする。
【００１０】
前記面ファスナーは、フック状に起毛されたフック状素材と、ループ状に密集して起毛され前記固定帯の長手方向において前記フック状素材よりも長いループ状素材と、を備えることを特徴とする。
【００１１】
前記伸縮性素材がポリエステルもしくはナイロンからなる素材、または該ポリエステルと該ナイロンとで編みこまれた素材であることを特徴とする。
【考案の効果】
【００１２】
本考案によれば、着実に下顎部を固定して開口を防止すると共に、使用感のよい開口防止具を提供することができる。
【図面の簡単な説明】
【００１３】
【図１】本実施形態における開口防止具の一実施例の斜視図である。
【図２】本実施形態における開口防止具の一実施例の正面図である。
【図３】本実施形態における開口防止具の一実施例の右側面図である。
【図４】本実施形態における開口防止具の一実施例の平面図である。
【図５】本実施形態における開口防止具の一実施例の底面図である。
【図６】本実施形態における開口防止具を装着した状態を正面から見た図である。
【図７】本実施形態における開口防止具を装着した状態を右側面から見た図である。
【考案を実施するための形態】
【００１４】
以下、本考案の実施形態の例について図面を参照して説明する。なお、実施形態の特徴部分に関係しない事項については、その内容を省略している場合がある。
【００１５】
図１は、本実施形態における開口防止具の一実施例の斜視図である。図２は、本実施形態における開口防止具の一実施例の正面図である。図３は、本実施形態における開口防止具の一実施例の右側面図である。図４は、本実施形態における開口防止具の一実施例の平面図である。図５は、本実施形態における開口防止具の一実施例の底面図である。
【００１６】
開口防止具１は、伸縮性素材で形成されており、帽子部２と固定帯３とを備える。伸縮性素材は、ポリエステルもしくはナイロンからなる素材、またはポリエステルとナイロンとで編みこまれた素材であってもよいし、合成ゴムやメッシュ生地等であってもよい。
【００１７】
帽子部２は、使用者の頭部に装着可能であり、開口の縁において対向する位置のそれぞれに穴７が空けられている。帽子部２は、例えば、つばのないキャップ形状をしている。帽子部２の開口部分の縁には、頭部に装着した際に帽子部２が頭部から容易に外れないように、頭部をリング状に一定の弾性力で締め付けるゴム状素材２ａが縫い込まれている。ゴム状素材２ａとして、例えば２ＷＡＹ生地（縦横に伸びるニット）を用いてもよい。帽子部２は、例えば、水泳用帽子（スイムキャップ）と同様または類似の形状をしており、スイムキャプを加工して用いてもよい。
【００１８】
固定帯３は、各穴７を通して帽子部２からぶら下がり、帽子部２が頭部に装着された際に使用者の下顎部を覆うと共に下顎部と対向する位置で一端と他端とが脱着可能に固定される。具体的には、固定帯３は、シート状素材４と、２本の細長状の帯５と、面ファスナー６とを備える。
【００１９】
シート状素材４は、略凸レンズ形状の伸縮性のあるシート状の素材である。シート状素材４は、後述するように下顎部分の先端を受け止めると共に、口呼吸できないように口が開かないように下顎を固定する機能を有する。シート状素材４は、下顎部分に密接してフィットするものであるから、例えば肌触りがよく、シート全体に弾性力があるメッシュ性の素材が好ましい。
【００２０】
２本の細長状の帯５はそれぞれ、シート状素材４のそれぞれの曲線部分に沿って縫い付けられている。帯５は、下顎部分に密接してフィットするものであるから、例えば肌触りがよく、シート全体に弾性力があるメッシュ性の素材や２ＷＡＹ生地が好ましく、さらにシート状素材４を支持するものであるから、シート状素材よりも耐久性や強度があるものがより好ましい。
【００２１】
面ファスナー６は、２本の帯の末端のそれぞれを互いに束ね、束ねた帯の一端と他端とが脱着可能に固定される。例えば、一端にはフック状に起毛されたフック状素材６ｂが縫い付けられており、他端にはループ状に密集して起毛され前記固定帯の長手方向においてフック状素材よりも長いループ状素材６ｂが縫い付けられており、ループ状素材６ａとフック状素材から面ファスナーは構成されている。本実施形態では、一例として、フック状素材６ｂに比べて、ループ状素材６ａは、長手方向の長さが長いが、同一の長さでも短くてもよい。このように構成することにより、ループ状素材６ａに対してフック状素材６ｂを取り付けた位置に基づいて、帽子部２に対する固定帯３のぶら下がっている部分の長さを調整することができる。
【００２２】
また、図３に示すように、２本の細長状の帯５はそれぞれ、帽子部２の開口部分の縁の辺りに空けた穴７を通って、ループ状素材６ａ、フック状素材６ｂでそれぞれ束ねられている。そのため、帽子部２に対してループ状素材６ａ、フック状素材６ｂをそれぞれ引き上げると、穴７が帯５に縫い付けられたシート状素材４の端部に当たるまで引き上げることができる。また、帽子部２に対してシート状素材４を引き下げると、穴７がループ状素材６ａ、フック状素材６ｂの端部に当たるまで引き下げることができる。すなわち、帯５において、穴７を介して相対的に帽子部２をシート状素材４の端部からループ状素材６ａまたはフック状素材６ｂの端部まで移動させることができるので、この可動範囲を調整することにより、固定帯を固定したときに固定帯３の長さを調整することができる。
【００２３】
なお、帯５内には、後述するように、開口防止具１を装着して固定帯５により頭部に固定した場合に締め付けによる不快感を防止するため、伸縮性素材からなるクッション性のあるクッション材を含ませるようにしてもよい。
【００２４】
以下では、「締める」とは、帽子部２に対して、固定帯３の端部（ループ状素材６ａまたはフック状素材６ｂ）を引き上げることにより、帽子部２と固定帯３との間のスペースを小さくことまたは装着した状態で固定帯３と顔との間のスペースを小さくすることをいう。
【００２５】
「緩める」とは、帽子部２に対して、固定帯３を引き下げることにより、帽子部２と固定帯３との間のスペースを大きくすることまたは装着した状態で固定帯３と顔との間のスペースを大きくすることをいう。
【００２６】
図６は、本実施形態における開口防止具を装着した状態を正面から見た図である。図７は、本実施形態における開口防止具を装着した状態を右側面から見た図である。図６及び図７を参照しながら、以下では、開口防止具の使用方法について説明する。
【００２７】
まずは、開口防止具１の帽子部２を頭部に被る。このとき、固定帯３は、十分に緩めておくと被りやすい。帽子部２を被った後、固定帯３のシート状素材４の中央付近に下顎部分が位置するように位置決めする。シート状素材４に対する下顎部の位置決め後に固定帯３の端部の一方または両方を引き上げて、顔にフットするように締め付け、口が開かないように下顎部分を固定する位置を調整する。固定帯３の端部の一方または両方を引き上げて、下顎部分を固定する位置が定まったら、ループ状素材６ａを頭部に被った帽子部２の表面に寝かせた後、ループ状素材６ａに対してフック状素材６ｂを取り付ける。これにより、口が開かないように下顎を固定することができる。
【００２８】
なお、本実施形態では、一例として、固定帯３は、シート状素材４と２本の細長状の帯５とから構成されているが、これに限定されず、例えば、１枚のシート状素材から切り出してシート状素材４と２本の細長状の帯５を形成してもよい。
【００２９】
帽子部２に空けた穴の位置は、固定帯３が使用者の耳にかかっても、かからなくてもよく、下顎を固定できる基地であれば特に限定されない。また、仕様によっては、上述の通り、ループ状素材６ａよりもフック状素材６ｂが長くてもよく、同じ長さであってもよい。
【００３０】
本実施形態によれば、帽子部２を頭部に被って固定帯３のシート状素材４を下顎に位置合わせして固定帯３を閉めて面ファスナーで固定することにより、着実に下顎部を固定して開口を防止することができる。その結果、いびきや睡眠時無呼吸症候群を防止できると共に、口内の乾燥を防止することができる。
【００３１】
また、面ファスナーの取り付け位置を調整することにより、固定帯の顔への密着度や締め付けの強さ、下顎への固定の程度を調整することができる。さらに、伸縮性の素材、必要であればさらにクッション材から構成されているので、使用感、フィット感がよく睡眠の際に装着しても煩わしくない。
【００３２】
なお、本考案は、以上に述べた実施の形態に限定されるものではなく、本考案の要旨を逸脱しない範囲内で種々の構成または実施形態を取ることができる。
【符号の説明】
【００３３】
１      開口防止具
２      帽子部
３      固定帯
４      シート状素材
５      帯
６      面ファスナー
６ａ    ループ状素材
６ｂ    フック状素材
７      穴
【図１】
0003218969.tif 000003
【図２】
0003218969.tif 000004
【図３】
0003218969.tif 000005
【図４】
0003218969.tif 000006
【図５】
0003218969.tif 000007
【図６】
0003218969.tif 000008
【図７】
0003218969.tif 000009
【手続補正書】
【提出日】平成30年9月25日(2018.9.25)
【手続補正１】
【補正対象書類名】実用新案登録請求の範囲
【補正対象項目名】請求項３
【補正方法】変更
【補正の内容】
【請求項３】
前記面ファスナーは、
フック状に起毛されたフック状素材と、
ループ状に密集して起毛され前記固定帯の長手方向において前記フック状素材よりも長いループ状素材と、
を備えることを特徴とする請求項２に記載の開口防止具。